(57)【要約】      （修正有）【課題】  従来の玄そば石抜機では除去することが出来ない不純物で玄そばより比重の軽い軽石を自動で除去することを可能にする。【解決手段】ローラーシャフト（１３）と振止バネ（１４）が上下運動を抑制し左右運動が残った排出樋（１５）をホッパー（１）から投入された玄そば（９）が通過し装置外部に排出される。排出樋（１５）上部に設置してある切替電磁石（１１）は電磁石スイッチ（２１）で作動や切断が可能で玄そば（９）が排出樋（１５）を通過している時に成分中に鉄分がある不純部の軽石（１０）は切替電磁石（１１）に吸着する。玄そば（９）が装置外部にすべて排出された後、電磁石スイッチ（２１）を切断することによって軽石（１０）が落下し、排出樋（１５）から玄そば（９）とは分離された状態で排出されるのである。【選択図】  図１
2006175381.tif 000002
【特許請求の範囲】
【請求項１】
玄蕎麦を製粉する際、不純物であり成分中に鉄分が含まれる軽石（１０）を除去するため、ホッパー（１）から取り込まれた玄そば（９）が排出樋（１５）を通っている間に上部に存在する切替電磁石（１１）が軽石（１０）を吸い付け、作業実施後、切替電磁石（１１）の電流を切ることによって玄そば（９）とは別に分離された軽石（１０）が排出される装置である。
【請求項２】
モーター（８）に連結しているプーリー（７）が回転することによりクランクシャフト（６）でつながれている運動軸（４）も回転し排出樋（１５）が円運動を起こす。しかし、排出桶（１５）下部にあるローラーシャフト（１３）と振止バネ（１４）の働きで上下運動が抑制され左右運動だけが残り、ホッパー（１）から投入される玄そば（９）が排出樋（１５）を通り排出される装置である。
【発明の詳細な説明】
【技術分野】
【０００１】
本発明は、玄そばに混入している不純物である軽石（火山礫）を電磁石により除去する装置である。
【背景技術】
【０００２】
従来の石抜機では玄蕎麦と不純物である石の比重の差を利用し自動の篩によって選別したり、排出桶の途中に櫛状の堰を設けその手前に設置された磁石との効果により不純物の除去をする装置がある。
【特許文献１】特開平９−１５５２３０
【非特許文献１】株式会社國光社  カタログ抜粋  そば石抜き機
【発明の開示】
【発明が解決しようとする課題】
【０００３】
しかしながら従来の不純物である石の除去は石が玄蕎麦より比重が重いという概念の元に作られており比重の軽い軽石は除去することができず、磁石と櫛状のものでは後から流れてくるものに押し流される可能性がある。
【課題を解決するための手段】
【０００４】
本発明は従来取り除くことのできなかった比重が軽い軽石の除去を行い、玄蕎麦の味を損ねることなく製粉した状態に仕上げることが目的である。比重の軽い軽石は火山礫と呼ばれておりその成分中に鉄分が含まれていることがわかった。そこで電磁石を利用して磁力による除去を考案した。ホッパー（１）から投入された玄蕎麦は装置外部に飛ばないよう飛散防止箱（３）を通過し排出樋（１５）に着地する。モーター（８）の動力が連動しているプーリー（７）を通しクランクシャフト（６）から運動軸（４）を介して排出樋（１５）回転運動を起こす。回転運動する排出樋（１５）下部には動力用フレーム（１２）に設置されているローラーシャフト（１３）と振止バネ（１４）が上下運動を抑制し左右運動だけが排出樋（１５）に残り装置外部へ玄そば（９）が流れていくようになっている。その排出桶（１５）上部には切替電磁石（１１）が３列で３個、２個、３個と並んで設置されている電磁石固定台（２５）があり玄そば（９）が電磁石固定台（２５）の下を通過する際に切替電磁石（１１）に軽石（１０）が吸着し、軽石（１０）が除去された状態で装置外部に排出される。玄そば（９）が排出されたあと、切替電磁石（１１）に接続されている電磁石スイッチ（２１）を切ることにより切替電磁石（１１）に吸着していた軽石（１０）が排出樋（１５）に落下し装置外部に排出されるのである。
【発明の効果】
【０００５】
本発明により従来機械では除去できなかった軽石（１０）を鉄分が含まれていることを利用した切替電磁石（１１）により除去することが可能になり純粋な玄そば（９）にすることができる。さらに切替電磁石（１１）は上部についており軽石（１０）は吸着するので玄そば（９）とは完全に分離し、あとからきた玄そば（９）に除去した軽石（１０）が押し流されることもない状態になるのである。
【発明を実施するための最良の形態】
【０００６】
本発明は玄そば中にある不純物の軽石に鉄分が含まれていることに着目し、電磁石の磁力を利用して除去する目的である。具体的な実施例を図を参考にして説明する。
【０００７】
躯体フレーム（２２）にホッパー固定座（２）で取り付けてあるホッパー（１）から玄そば（９）を投入すると装置外部に飛び出さないよう飛散防止箱（３）を通る。飛散防止箱（３）の底には数カ所穴の開いている均し皿（５）があり、飛散防止箱（３）を通った玄そば（９）が排出樋（１５）へ均一に落下する仕組みとなっている。
【０００８】
モーター（８）と連動しているプーリー（７）はモーター用スイッチ（２３）を入れると同時に回転運動を起こす。プーリー（７）の中央部中心点をはずしたところにクランクシャフト（６）を取り付け、その先には運動軸（４）、排出樋（１５）とつながっている。プーリー（７）が回転運動をはじめるとクランクシャフト（６）、運動軸（４）を伝い排出樋（１５）も回転運動をはじめる。しかし、排出樋（１５）下部にある動力用フレーム（１２）上部に取り付けられたローラーシャフト（１３）と動力用フレーム（１２）と電磁石固定台（２７）をつなぐ振止バネ（１４）が上下運動を抑制し、左右運動だけが残る。これによって排出樋に落下した玄そば（９）は排出樋（１５）を通り装置外に排出されるようになるのである。
【０００９】
電磁石固定台（２５）には３列で３個、２個、３個と並べられた切替電磁石（１１）を設置する。このように並べることで排出樋（１５）にちらばる玄そば（９）中にある軽石（１０）を全体的に吸着することができる。切替電磁石（１１）は交流電流２００Ｖ（２０）を交直変換器（１９）にて直流電流に変換し電磁石スイッチ（２１）で電流を流したり止めたりすることができる。電磁石固定ボルト（１６）で電磁石固定台（２５）に取り付けられた数列に並ぶ切替電磁石（１１）の先端は電磁石固定台（２５）を突き抜け、排出樋（１５）を通る玄そば（９）に直接当たらない場所に設置する。そうすることにより電源の入った切替電磁石（１１）は排出樋（１５）を流れる玄そば（９）に混じる軽石（１０）を吸い付け玄そば（９）と分離させることができる。
切替電磁石（１１）は電磁石固定台（２５）に数列に渡り設置してあるのでたとえ最初の位置にある切替電磁石（１１）に軽石（１０）が多量に吸着しても次の列、また次の列の切替電磁石（１１）に吸着するようになっている。玄そば（９）が排出樋（１５）をすべて通過し軽石除去が終了した後、電磁石スイッチ（２１）を切ることにより切替電磁石（１１）の磁力がなくなり、それまで吸着していた軽石（１０）が排出樋（１５）に落下してそのまま装置外部に排出されるのである。
【００１０】
電磁石固定台（２５）は躯体フレーム（２２）に吊り金
具．（１７）でぶらさがっている状態になっており取手（１８）と接続されている。よって取手（１８）を上部へ引き上げることにより電磁石固定台（２５）が持ち上げられ排出樋（１５）の掃除またはメンテナンスが容易にできるようになっている。
【００１１】
躯体フレーム（２２）下部にある伸縮ネジ台（２４）は回すことによって高さを調節することができ、使う人の姿勢に合わせたり、左右の調節を変えることにより傾きを調節することができ傾きを変えることで排出樋（１５）を通る玄そば（９）の速度を変えることができる。
【図面の簡単な説明】
【００１２】
【図１】本発明の全体図
【符号の説明】
【００１３】
１  ホッパー
２  ホッパー固定座
３  飛散防止箱
４  運動軸
５  均し皿
６  クランクシャフト
７  プーリー
８  モーター
９  玄そば
１０  軽石
１１  切替電磁石
１２  動力用フレーム
１３  ローラーシャフト
１４  振止バネ
１５  排出樋
１６  電磁石固定ボルト
１７  吊り金具
１８  取手
１９  交直変換器
２０  交流電流２００Ｖ
２１  電磁石スイッチ
２２  躯体フレーム
２３  モーター用スイッチ
２４  伸縮ネジ台
２５  電磁石固定台
【図１】
2006175381.tif 000003